(57)【要約】【課題】  写真、文字、絵、模様などの印刷オブジェクトに切取線を付与して印刷する印刷データ編集装置及び印刷データ編集プログラムを提供する。【解決手段】  範囲指定画面２００には、切取領域の形状を示す図形が列挙されている形状選択エリア２１０、印刷オブジェクトの画像イメージ２２１を表示する表示エリア２２０が設けられている。形状選択エリア２１０で図形が選択されると、表示エリア２２０には図形２２２が画像イメージ２２１上に表示される。そして、図形２２２の右上のハンドル２２３をドラッグすると図形２２２のサイズを、図形２２２の線をドラッグすると位置を変更することができる。また、切抜線設定画面において、直線や山形、波型といった切抜線（切取領域の境界線）の形状及びピッチを指定することができる。そして、印刷時には切取線設定画面において、印刷される切取線の太さと切取領域の境界からの余裕量を設定することができる。【選択図】  図５
2006260384.tif 000002
【特許請求の範囲】
【請求項１】
印刷される写真、文字、絵、模様などである印刷オブジェクトを編集するために、当該印刷オブジェクトを表示する表示手段と、
当該表示手段に表示されている印刷オブジェクトを印刷した印刷結果を切り取る場合に、切り取られる領域である切取領域を指定する切取領域指定手段と、
当該切取領域指定手段により指定された前記切取領域を前記印刷結果から切り取るための切取線を前記切取領域の境界線より外側に印刷するための切取線データを前記印刷オブジェクトに付与して、印刷装置で印刷するための印刷データを作成する印刷データ作成手段と
を備えたことを特徴とする印刷データ編集装置。
【請求項２】
前記印刷データ作成手段により付与される前記切取線データの示す前記切取線の前記境界線からの距離を指定する距離指定手段を備えたことを特徴とする請求項１に記載の印刷データ編集装置。
【請求項３】
前記切取線の太さを指定する太さ指定手段を備えたことを特徴とする請求項１又は２に記載の印刷データ編集装置。
【請求項４】
前記切取領域指定手段は、線の形状を指定することにより前記切取領域の境界の形状を指定する線種指定手段を備え、
前記線の形状は前記印刷結果を切り取る場合に使用されるハサミの切り口の形状を模した線が少なくとも含まれることを特徴とする請求項１乃至３のいずれかに記載の印刷データ編集装置。
【請求項５】
前記切取線を前記印刷データが印刷される面と同じ面である表面に印刷するか、裏面に印刷するかを選択する表裏選択手段を備え、
前記印刷データ作成手段は、
前記表裏選択手段により裏面に印刷すると選択された場合には、前記切取線を前記境界線上に配置し、裏面に印刷する裏面切取線データの前記印刷データを作成することを特徴とする請求項１乃至４のいずれかに記載の印刷データ編集装置。
【請求項６】
請求項１乃至５のいずれかに記載の印刷データ編集装置の各種処理手段としてコンピュータを機能させるための印刷データ編集プログラム。
【発明の詳細な説明】
【技術分野】
【０００１】
本発明は、印刷データ編集装置及び印刷データ編集プログラムに関するものであり、詳細には、印刷される写真、文字、絵、模様などである印刷オブジェクトに切取線データを付与した印刷データを作成する印刷データ編集装置及び印刷データ編集プログラムに関するものである。
【背景技術】
【０００２】
従来、画像処理ソフトやワープロソフトなどでは、通常、作成者は所望する印刷物の完成品のイメージを画面上で編集しており、印刷が実行された場合には、通常、画面上で編集したイメージがそのまま印刷される。また、文字や画像等の印刷オブジェクトを選択して印刷を指示すれば、選択された印刷オブジェクトのみ印刷されるという機能を持つ画像処理ソフトやワープロソフトもあるが、あくまでも編集画面に表示されている通りに印刷が行われる。
【０００３】
昨今、「スクラップブッキング」というホビーが楽しまれている。このスクラップブッキングは、従来のようにアルバムにただ写真を並べて貼り付けるだけではなく、テーマ付けを行い、そのテーマに沿った写真を台紙に様々な手法で飾り付けて楽しむものである。このようなスクラップブッキングでは、写真に様々な加工ができるため、フィルム写真でなくデジタルカメラの画像データが使用されることがある。また、写真の他にそのページのテーマ、テーマに関するジャーナル（日付やエピソード、感想などの記録）を載せるために、デジタルデータのイラストや模様、文字などのオブジェクトを印刷したものが貼り付けられることもある。このようなスクラップブックで使用されるオブジェクトを印刷する場合には、印刷物をカットして貼り付けられることが多い。
【０００４】
また、従来、印刷結果をその使用目的（たとえば、フレキシブルディスクのラベル、ドアノブ用下げ札、さいころなど）に合わせてカットするために、印刷したい画像（印刷オブジェクト）と切取線及び折り曲げ線の少なくとも一方を含むテンプレートとを合成して印刷を行う合成画像印刷装置が提供されている（例えば、特許文献１）。
【特許文献１】特開平１１−２３４５０６号公報
【発明の開示】
【発明が解決しようとする課題】
【０００５】
しかしながら、特許文献１に記載の発明の合成画像印刷装置では、予め記憶されているテンプレートと印刷オブジェクトとを合成するため、予め記憶されていないデザインでの切取線を付与することはできないという問題点がある。また、実際に切り取りたい位置と切取線との最良位置の関係は、切り取りを行う人物の好みにより異なる。たとえば、ある人物は切り取り位置と切取線とは同じ位置で、切取線上をカットしたいという好みがあり、また、ある人物は切り取った後に切取線を残したくないために、切取線の少し内側をカットしたいという好みがある。しかしながら、予め記憶されているテンプレートを使用する場合には、そのような好みを繁栄させることができない問題点がある。
【０００６】
本発明は、上述の問題点を解決するためになされたものであり、印刷される写真、文字、絵、模様などである印刷オブジェクトに切取線データを付与した印刷データを作成する印刷データ編集装置及び印刷データ編集プログラムを提供することを目的とする。
【課題を解決するための手段】
【０００７】
上記課題を解決するため、請求項１に係る発明の印刷データ編集装置では、印刷される写真、文字、絵、模様などである印刷オブジェクトを編集するために、当該印刷オブジェクトを表示する表示手段と、当該表示手段に表示されている印刷オブジェクトを印刷した印刷結果を切り取る場合に、切り取られる領域である切取領域を指定する切取領域指定手段と、当該切取領域指定手段により指定された前記切取領域を前記印刷結果から切り取るための切取線を前記切取領域の境界線より外側に印刷するための切取線データを前記印刷オブジェクトに付与して、印刷装置で印刷するための印刷データを作成する印刷データ作成手段とを備えたことを特徴とする構成となっている。
【０００８】
また、請求項２に係る発明の印刷データ編集装置では、請求項１に記載の発明の構成に加えて、前記印刷データ作成手段により付与される前記切取線データの示す前記切取線の前記境界線からの距離を指定する距離指定手段を備えたことを特徴とする構成となっている。
【０００９】
また、請求項３に係る発明の印刷データ編集装置では、請求項１又は２に記載の発明の構成に加えて、前記切取線の太さを指定する太さ指定手段を備えたことを特徴とする構成となっている。
【００１０】
また、請求項４に係る発明の印刷データ編集装置では、請求項１乃至３のいずれかに記載の発明の構成に加えて、前記切取領域指定手段は、線の形状を指定することにより前記切取領域の境界の形状を指定する線種指定手段を備え、前記線の形状は前記印刷結果を切り取る場合に使用されるハサミの切り口の形状を模した線が少なくとも含まれることを特徴とする構成となっている。
【００１１】
また、請求項５に係る発明の印刷データ編集装置では、請求項１乃至４のいずれかに記載の発明の構成に加えて、前記切取線を前記印刷データが印刷される面と同じ面である表面に印刷するか、裏面に印刷するかを選択する表裏選択手段を備え、前記印刷データ作成手段は、前記表裏選択手段により裏面に印刷すると選択された場合には、前記切取線を前記境界線上に配置し、裏面に印刷する裏面切取線データの前記印刷データを作成することを特徴とする構成となっている。
【００１２】
また、請求項６に係る発明の印刷データ編集プログラムでは、請求項１乃至５のいずれかに記載の印刷データ編集装置の各種処理手段としてコンピュータを機能させる構成となっている。
【発明の効果】
【００１３】
請求項１に係る発明の印刷データ編集装置では、表示手段は、印刷される写真、文字、絵、模様などである印刷オブジェクトを編集するために、印刷オブジェクトを表示し、切取領域指定手段は、表示手段に表示されている印刷オブジェクトを印刷した印刷結果を切り取る場合に、切り取られる領域である切取領域を指定し、印刷データ作成手段は、切取領域指定手段により指定された切取領域を印刷結果から切り取るための切取線を切取領域の境界線より外側に印刷するための切取線データを印刷オブジェクトに付与して、印刷装置で印刷するための印刷データを作成することができる。したがって、その印刷データに基づく印刷オブジェクトにおいて、切り取って使用したい領域が指定され、その領域に合わせて切取線が印刷されるので、印刷オブジェクトを切り取って使用したい場合に便利である。
【００１４】
また、請求項２に係る発明の印刷データ編集装置では、請求項１に記載の発明の効果に加えて、距離指定手段は、印刷データ作成手段により付与される切取線データの示す切取線の境界線からの距離を指定することができる。したがって、境界線からの距離がユーザの好みに合った切取線を付与することができる。
【００１５】
また、請求項３に係る発明の印刷データ編集装置では、請求項１又は２に記載の発明の効果に加えて、太さ指定手段は、切取線の太さを指定することができる。したがって、ユーザの好みに合った太さの切取線を付与することができる。
【００１６】
また、請求項４に係る発明の印刷データ編集装置では、請求項１乃至３のいずれかに記載の発明の効果に加えて、切取領域指定手段の線種指定手段は、線の形状を指定することにより切取領域の境界の形状を指定することができる。また、線の形状は印刷結果を切り取る場合に使用されるハサミの切り口の形状を模した線を少なくとも含むことができる。したがって、使用するハサミの切り口の形状に合った切取線を付与することができるので、特に、ピンキングハサミなど切り口の形状が直線でないハサミを使用する場合に有用である。
【００１７】
また、請求項５に係る発明の印刷データ編集装置では、請求項１乃至４のいずれかに記載の発明の効果に加えて、表裏選択手段は、切取線を印刷データが印刷される面と同じ面である表面に印刷するか、裏面に印刷するかを選択することができる。また、印刷データ作成手段は、表裏選択手段により裏面に印刷すると選択された場合には、切取線を境界線上に配置し、裏面に印刷する裏面切取線データの印刷データを作成することができる。したがって、その印刷データに基づいて裏面に切取線を印刷することができるので、印刷結果に影響を与えることがない。
【００１８】
また、請求項６に係る発明の印刷データ編集プログラムでは、請求項１乃至５のいずれかに記載の印刷データ編集装置の各種処理手段としてコンピュータを機能させることができる。したがって、当該プログラムをコンピュータに実行させることによって印刷オブジェクトに切取線を付与して印刷を行うことができる。
【発明を実施するための最良の形態】
【００１９】
以下、本発明の実施の形態を図面を参照して説明する。図１は、本発明の印刷データ編集プログラムを搭載した、印刷データ編集装置１の電気的構成を示すブロック図であり、図２は、ＲＯＭ１２に記憶されている切抜線イメージ記憶エリア１２０の模式図であり、図３はＲＡＭ１１の記憶エリアの模式図である。図１に示すように、印刷データ編集装置１には、印刷データ編集装置１の制御を司るＣＰＵ１０が設けられ、ＣＰＵ１０には、各種のデータを一時的に記憶するＲＡＭ１１と、ＢＩＯＳ等を記憶したＲＯＭ１２と、データの受け渡しの仲介を行うＩ／Ｏインタフェイス１３とが接続されている。Ｉ／Ｏインタフェイス１３には、ハードディスク装置１８が接続され、当該ハードディスク装置１８には、オブジェクト情報記憶エリア１８０と、印刷データ記憶エリア１８１と、プログラム記憶エリア１８２と、その他の情報記憶エリア１８３とが設けられている。
【００２０】
なお、オブジェクト情報記憶エリア１８０には、編集画面上で編集されている印刷オブジェクトの種々の属性が記憶されている。印刷データ記憶エリア１８１には、印刷指令が成された際にプリンタ２に送信される印刷データが記憶される。プログラム記憶エリア１８２にはＣＰＵ１０で実行される印刷データ編集プログラムが記憶されており、その他の情報記憶エリア１８３には、印刷データ編集装置１で使用されるその他の情報が記憶されている。
【００２１】
また、Ｉ／Ｏインタフェイス１３には、マウス３３と、ビデオコントローラ１４と、キーコントローラ１５と、ＣＤ−ＲＯＭドライブ１６と、ＦＤドライブ１７とが接続され、ビデオコントローラ１４にはディスプレイ３４が接続され、キーコントローラ１５にはキーボード３５が接続されている。なお、ＣＤ−ＲＯＭドライブ１６に挿入されるＣＤ−ＲＯＭ３６には、印刷データ編集プログラムが記憶されており、導入時に、印刷データ編集プログラムは、ＣＤ−ＲＯＭ３６からハードディスク装置１８にセットアップされてプログラム記憶エリア１８２に記憶されるようになっている。また、ＦＤドライブ１７では、フレキシブルディスク（以下、ＦＤとする）３７の読み取りや書き込みが可能となっている。また、Ｉ／Ｏインタフェイス１３には、プリンタ２が接続されており、本発明の印刷データ編集プログラムで作成された印刷データを印刷することができる。
【００２２】
なお、印刷データ編集プログラムは、ＣＤ−ＲＯＭ３６から印刷データ編集装置１へ導入するのではなく、ＦＤ３７から導入してもよく、また、ＤＶＤ等他の記憶媒体を読み取るドライブを接続して、それらの記憶媒体から導入するようにしてもよい。また、印刷データ編集装置１をＬＡＮやインターネットに接続し、他のコンピュータからネットワークを介して導入してもよい。また、図１において、プリンタ２は印刷データ編集装置１に直接接続しているが、これはネットワークを介して接続したプリンタであってもよいことはいうまでもない。また、プリンタ２は連続用紙を印刷するものであっても、カット用紙を印刷するものであってもよく、被印刷媒体は紙に限らず、シールやテープであってもよい。
【００２３】
次に、図２を参照して、ＲＯＭ１２に記憶されている切抜線イメージ記憶エリア１２０について説明する。ここには、切取領域の境界線である切抜線の種々の形状の画像データが記憶されている。切抜線の形状は、市販されている主なハサミの切り口に合せたものが準備されている。例えば、通常のハサミの切り口である直線、ピンキングバサミの切り口である山形や波型である。山形や波型においてもその角度により種々の形状がある。さらに、山形や波型においては、ピンキングバサミの切り口の形状に合わせて３ｍｍ、５ｍｍ等の種々のピッチのものが準備されている。図２に示す例では、直線、山形（ピッチの狭いものと広いもの）、波型（ピッチの狭いものと広いもの）等であり、他の形状については省略されている。なお、本実施の形態では、印刷データに使用される切取線のイメージは、この切抜線イメージ記憶エリア１２０に記憶されている切取線のイメージから作成しており、後述する切取線設定画面４００において指定された線の太さに調整して作成している。詳しくは、切取線の線を形成するドットに、その切取線を形成するドットと隣接するドットを加えることにより太くしており、線の太さは、そのときに隣接する何ドットまでを線を形成するドットにするかにより決定している。
【００２４】
次に、図３を参照して、ＲＡＭ１１の記憶エリアについて説明する。ＲＡＭ１１には表示バッファ記憶エリア１１１、部品別表示バッファ記憶エリア１１２、印刷バッファ記憶エリア１１３等が設けられている。表示バッファ記憶エリア１１１には、後述する編集画面１００の作業領域１０３に表示されているスクラップブックイメージ１０１（図４参照）が記憶されている。また、部品別表示バッファ記憶エリア１１２には、オブジェクト情報記憶エリア１１２１、切抜オブジェクトイメージ記憶エリア１１２２、範囲指定データ記憶エリア１１２３、切抜線データ記憶エリア１１２４、切取線データ記憶エリア１１２５等が設けられており、編集画面１００の作業領域１０３に表示されるスクラップブックイメージ１０１を構成する各部品のデータが記憶されている。
【００２５】
オブジェクト情報記憶エリア１１２１には、編集画面１００の作業領域１０３に表示されている印刷オブジェクトについての情報、例えば、オブジェクトの種類、位置情報、画像イメージなどが印刷オブジェクト毎に記憶される。また、切抜オブジェクトイメージ記憶エリア１１２２には、切り取りの指定がされている印刷オブジェクトについて、切り取り後のイメージデータ（切抜オブジェクト）が印刷オブジェクト毎に記憶されている。範囲指定データ記憶エリア１１２３には、切り取り指定の印刷オブジェクトについて、切り取り範囲を示す図形の頂点の座標が印刷オブジェクト毎に記憶されている。切抜線データ記憶エリア１１２４には、切取領域の境界線となる切抜線のイメージデータが印刷オブジェクト毎に記憶されている。切取範囲を示す図形の辺の１つ１つが、この切抜線のイメージを所定の長さで切断したもので置き換えられる。切取線データ記憶エリア１１２５には、印刷データに付与される切取線についての各種データが印刷オブジェクト毎に記憶されている。
【００２６】
印刷バッファ記憶エリア１１３には、表面用印刷バッファ記憶エリア１１３１、裏面用印刷バッファ記憶エリア１１３２等が設けられており、プリンタ２へ送信する印刷データが表面、裏面別々に作成されて記憶される。尚、その他の記憶エリアについては省略されている。
【００２７】
次に、図４を参照して、印刷データ編集プログラムにおいて表示され、スクラップブックの完成品をイメージしつつ、スクラップブックに貼り付けるための印刷物の編集を行う編集画面１００について説明する。図４は、編集画面１００のイメージ図である。
【００２８】
図４に示すように、編集画面１００では、「ファイル」、「編集」、「挿入」、「書式」、「ツール」、「レイアウト」、「ウィンドウ」、「ヘルプ」といった操作指示を行うためのツールバー１０２が画面上部に表示されており、編集画面１００のほとんどを占める作業領域１０３には、スクラップブックの完成品のイメージであるスクラップブックイメージ１０１が表示されている。ツールバー１０２の各メニューをマウス３３やキーボード３５を操作することにより、印刷データ編集プログラムに対して種々の指示を与える。ここで、スクラップブックイメージ１０１を参照して、本実施の形態で扱われる印刷オブジェクトの種類について説明する。本実施の形態では、印刷オブジェクトの種類は、「写真」、「文字」、「イラスト」の３種類が扱われる。
【００２９】
「写真」は、デジタルカメラ等で撮影された写真画像データによる印刷オブジェクトである。例えば、ツールバー１０２の「挿入」メニューを選択することにより表示されるリストボックスの中から「写真」を選択することにより、挿入する写真の画像ファイルを選択する画面（図示外）が表示される。そして、挿入する写真の画像ファイルを指定すると、写真オブジェクトが作業領域１０３上に表示される。図４に示す例では、象の写真の写真オブジェクト１４１（スクラップブックイメージ１０１の上部中央）が作成されている。
【００３０】
また、「文字」は、作業領域１０３上で入力された文字データである。例えば、ツールバー１０２の「挿入」メニューを選択することにより表示されるリストボックスの中から「文字」を選択することにより、文字オブジェクトが表示され、その文字オブジェクトに文字を入力する。なお、この文字オブジェクトでは、文字サイズ、フォント種類、文字オブジェクト内での文字の配置などを指定することができる。また、文字色、下線、白抜き、斜体、太字などの文字修飾設定を行うことができる。図４に示す例では、文字オブジェクト１２１には「どうぶつえん」、文字オブジェクト１２２には「２００５．０３．２６  ｓａｔ」の文字が入力されている。
【００３１】
また、「イラスト」は、画像編集ソフト等で作成されたり、スキャナで取り込まれたりした絵や模様などの画像データによるイラストオブジェクトであり、写真の画像データを含まないものである。例えば、ツールバー１０２の「挿入」メニューを選択することにより表示されるリストボックスの中から「イラスト」を選択することにより、挿入するイラストの画像ファイルを選択する画面（図示外）が表示される。そして、挿入するイラストの画像ファイルを指定すると、イラストオブジェクトが作業領域１０３上に表示される。図４に示す例では、スクラップブックイメージ１０１の上端に表示されている波模様のイラストオブジェクト１３１、スクラップブックイメージ１０１の下端に表示されている波模様のイラストオブジェクト１３２が作成されている。
【００３２】
次に、図５乃至図７を参照して、印刷オブジェクトに切り取りの指定をした場合に表示される画面について説明する。図５は、切取領域の形状及び範囲を指定する範囲指定画面２００のイメージ図であり、図６は、切取領域の境界線の形状を指定する切抜線設定画面３００のイメージ図であり、図７は、切り取り指定をした後の編集画面１００のイメージ図である。
【００３３】
まず、図５を参照して、範囲指定画面２００について説明する。図５に示すように、範囲指定画面２００の左側には、形状選択エリア２１０が設けられており、中央には切り取られる印刷オブジェクトの画像イメージ２２１を表示する表示エリア２２０が設けられており、表示エリア２２０の下部にはＯＫボタン２２４及びキャンセルボタン２２５が設けられている。形状選択エリア２１０には、切取領域の形状を示す図形が列挙されており、マウス３３やキーボード３５を操作することにより１つの図形を選択することができる。図５に示す例では、長方形、平行四辺形、ひし形、長方形の角のカットされた八角形、六角形、星型が表示されており、長方形が選択されている。
【００３４】
形状選択エリア２１０において切取領域の形状を示す図形が選択されると、表示エリア２２０にはその形状の図形２２２が印刷オブジェクトの画像イメージ２２１上に表示される。そして、図形２２２の右上にはサイズ変更用のハンドル２２３が表示される。このハンドル２２３上にマウス３３のマウスポインタを持って行き、ドラッグすることにより図形２２２のサイズを変更することができる。また、図形２２２の線上にマウスポインタを持って行き、ドラッグすることにより図形２２２の位置を変更することができる。
【００３５】
このようにして、形状選択エリア２１０から切取領域の形状を示す図形を選択し、マウス３３の操作により、そのサイズや位置を指定することができる。なお、ＯＫボタン２２４が選択されると、指定は完了する。そして、切抜線設定画面３００（図６参照）が表示される。キャンセルボタン２２５が選択されると指定は中止される。なお、範囲指定画面２００で入力された内容は、切取領域の形状を示す図形の各頂点座標を、隣り合う頂点の座標が連続する順番で格納する形で範囲指定データ記憶エリア１１２３に記憶されている。
【００３６】
次に、図６を参照して、切抜線設定画面３００について説明する。図６に示すように、形状欄３１０、ピッチ欄３２０、プレビュー欄３３０、ＯＫボタン３４０、キャンセルボタン３５０が設けられている。形状欄３１０は、プルダウン形式になっており切抜線の形状を指定することができる。ここには、ＲＯＭ１２の切抜線イメージ記憶エリア１２０に記憶されている直線や山形、波型といった形状が表示される。図６に示す例では山形が表示されている。そして、ピッチ欄３２０にはＡ，Ｂ，Ｃの３つのボタンが表示されており、形状欄３１０で選択された形状について、そのピッチを指定することができる。例えば、山形の切取線イメージが切抜線イメージ記憶エリア１２０に３つ記憶されていれば、３つのボタンが表示される。なお、本実施の形態ではピッチはＡから狭い順とされている。
【００３７】
そして、形状欄３１０及びピッチ欄３２０で選択された切抜線がプレビュー欄３３０に表示される。これにより、使用者は好みの切抜線を選択することができる。なお、ＯＫボタン３４０が選択されると、指定は完了する。そして、編集画面１００の作業領域１０３に切り抜かれた印刷オブジェクト（切抜オブジェクト）が表示される。キャンセルボタン３５０が選択されると指定は中止される。なお、切抜線設定画面３００に入力された内容は、選択された形状及びピッチに対応する、切抜線イメージ記憶エリア１２０に記憶されている切抜線イメージをコピーする形で切抜線データ記憶エリア１１２４に記憶されている。
【００３８】
次に、図７を参照して、切り取り設定後の編集画面１００について説明する。図７に示すように、作業領域１０３には切取領域で切り抜かれた切抜オブジェクト１４２が表示されている。図７に示す例は、図５において「長方形」が切り取り領域の形状として指定され、図６において「山形」のピッチ「Ａ」の切抜線が指定された場合の切抜オブジェクト１４２であり、図４に示した写真オブジェクト１４１が、周囲が山形で切り抜かれた切抜オブジェクト１４２となっている。
【００３９】
次に、図８乃至図１１を参照して、図５及び図６で指定された切取領域及び切抜線の種類に基づいて印刷される印刷結果５００，５１０，５２１，５２２、切取線設定画面４００について説明する。図８は、切取線の設定を行う切取線設定画面４００のイメージ図である。また、図９は、「切取線を表面に印刷」が選択され切取線が印刷された印刷結果５００のイメージ図であり、図１０は、「周囲を塗潰す」が選択され切取領域の周囲が背景色で塗潰された印刷結果５１０のイメージ図であり、図１１は、「切取線を裏面に印刷」が選択され切取線が裏面に印刷された印刷結果５２１（表面），５２２（裏面）のイメージ図である。なお、図９乃至図１１は、範囲指定画面２００において「長方形」が切り取り領域の形状として指定され、切抜線設定画面３００において「山形」のピッチ「Ａ」の切抜線が指定された場合の切抜オブジェクト１４２（図７参照）について、印刷指示が行われた場合の印刷結果のイメージ図である。
【００４０】
まず、図８を参照して切取線設定画面４００について説明する。図８に示すように、切取線設定画面４００には、周囲を塗潰すか、切取線を表面に印刷するか、裏面に印刷するかを指定する切取線指定ラジオボタン４１０、切取線を表面に印刷する場合に切取線の太さを指定する太さ指定リストボックス４２０、切取線を表面に印刷する場合に切取線の切取領域の境界（切抜線）からの距離を指定する余裕量指定リストボックス４３０、ＯＫボタン４４０が設けられている。
【００４１】
切取線指定ラジオボタン４１０では、「周囲を塗潰す」、「切取線を裏面に印刷」又は「切取線を表面に印刷」を選択することができる。「周囲を塗潰す」が選択されると切抜オブジェクトの周囲が背景色で塗潰される（図１０参照）。「切取線を裏面に印刷」が選択されると切取線が裏面に印刷される。「切取線を表面に印刷」が選択されると切取線が元の写真オブジェクトの上に印刷される（図１１参照）。この「切取線を表面に印刷」が選択された場合には、太さ指定リストボックス４２０、余裕量指定リストボックス４３０により切取線の太さ及び印刷位置を指定する必要があり、太さ指定リストボックス４２０、余裕量指定リストボックス４３０により指定された切取線が元の写真オブジェクトの上に印刷される（図９参照）。太さ指定リストボックス４２０では印刷される切取線の太さを０．１ｐｔ単位で指定できる。また、余裕量指定リストボックス４３０では切取領域の境界（切抜線）からの距離である余裕量を０．１ｍｍ単位で指定できる。なお、０ｍｍに設定すれば切抜線上に切取線が印刷されることになる。
【００４２】
そして、ＯＫボタン４４０が選択されると、指定は完了し、切取線指定ラジオボタン４１０，太さ指定リストボックス４２０，余裕量指定リストボックス４３０で指定されている内容が切取線データ記憶エリア１１２５に記憶され、その内容にしたがって印刷が行われる。
【００４３】
次に、図９を参照して、「切取線を表面に印刷」が選択され切取線が印刷された印刷結果５００について説明する。図９に示すように、元の写真オブジェクトの印刷画像５０１の上に、切抜線と同じ形状の切取線５０２が、切抜線から所定量（切取線設定画面４００で指定された距離）の間隔をあけて、切取線設定画面４００で指定された太さの線で印刷されている。
【００４４】
次に、図１０を参照して、切取領域の周囲が背景色で塗潰された印刷結果５１０について説明する。図１０に示すように、切抜オブジェクトの印刷画像５１１の周囲の所定領域５１２が背景と同じ色で塗潰されている。
【００４５】
次に、図１１を参照して、切取線が裏面に印刷された印刷結果５２１，５２２について説明する。図１１における左側のイメージ図は表面の印刷結果５２１であり、右側のイメージ図は裏面の印刷結果５２２（表面から左右方向に反転させた裏面）である。図１１に示すように、表面には元の写真オブジェクトの印刷画像５２３が印刷されており、裏面には切抜オブジェクトの輪郭線（切抜線）上に切取線５２４が印刷されている。
【００４６】
ここで、本発明の印刷データ編集装置及び印刷データ編集プログラムの動作について、図１２乃至図１５のフローチャートを参照して説明する。図１２は、メイン処理の主な処理を示したフローチャートであり、図１３は、メイン処理の中で実施される編集処理のフローチャートであり、図１４は、編集処理の中で実施される切り抜き後のイメージ作成処理のフローチャートであり、図１５は、メイン処理の中で実施される印刷処理のフローチャートである。
【００４７】
メイン処理は、印刷データ編集プログラムが実行されると開始される。まず、各種データ等の初期化処理が行われ（Ｓ１）、次いで、マウス３３やキーボード３５からの入力が受け付けられる（Ｓ２）。その入力が編集（文字の入力、印刷オブジェクトのサイズ変更や移動、オブジェクトの挿入など）の指示であれば（Ｓ３：ＹＥＳ）、編集処理が行われる（Ｓ５、図１３参照）。また、入力が印刷指示であれば（Ｓ３：ＮＯ，Ｓ４：ＹＥＳ）、印刷処理が行われる（Ｓ６、図１５参照）。また、編集指示でも印刷指示でもなければ（Ｓ３：ＮＯ，Ｓ４：ＮＯ）、その他の処理が行われる（Ｓ７）。そして、マウス３３やキーボード３５から終了の指示が成されているか否かの判断が行われ（Ｓ８）、マウス３３やキーボード３５から終了の指示が入力されていれば（Ｓ８：ＹＥＳ）、本処理は終了する。また、終了指示が成されていなければ（Ｓ８：ＮＯ）、Ｓ２へ戻り、受け付けられた入力（Ｓ２）の指示判断（Ｓ３，Ｓ４）及びその指示に従った処理（Ｓ５，Ｓ６，Ｓ７）が行われる。そして、終了の指示が成されるまでは（Ｓ８：ＹＥＳ）、繰り返しＳ２〜Ｓ８の処理が行われて、マウス３３やキーボード３５からの指示に対する処理が行われる。
【００４８】
なお、終了指示の入力は、例えば、編集画面１００のツールバー１０２で「ファイル」を選択し、そして表示されるリストボックスの中で「終了」を選択することにより行われる。また、編集を指示する入力は、例えば、編集画面１００のツールバー１０２で「挿入」を選択し、そして表示されるリストボックスの中から印刷オブジェクトの種類（「写真」、「文字」、「イラスト」）を選択して印刷オブジェクトを新たに挿入することや、既に表示されている印刷オブジェクトを選択し、ツールバー１０２で「編集」を選択し、そして表示されるリストボックスの中から編集内容（「回転」、「文字入力」、「属性変更」、「切り取り」など）を選択することなどにより行われる。また、印刷を指示する入力は、例えば、編集画面１００のツールバー１０２で「ファイル」を選択し、そして表示されるリストボックスの中で「印刷」を選択することにより行われる。また、本発明の要部である「切り取り指示」は、例えば、切り取りを行う印刷オブジェクトが選択されている状態で、ツールバー１０２で「編集」を選択し、そして表示されるリストボックスの中から「切り取り」を選択することにより行われる。
【００４９】
ここで、図１３のフローチャートを参照して、編集処理における本発明の要部について説明する。まず、入力が「切り取り指示」であったか否かの判断が行われる（Ｓ１１）。「切り取り指示」が行われていなければ（Ｓ１１：ＮＯ）、その他の処理が行われて（Ｓ２２）、メイン処理へ戻る。「切り取り指示」が行われていれば（Ｓ１１：ＹＥＳ）、まず範囲指定画面２００（図５参照）が表示される（Ｓ１２）。そして、形状選択エリア２１０において範囲指定の図形の選択の受付が行われて、いずれかの図形が選択されれば、その図形２２２が表示エリア２２０に表示される（Ｓ１３）。そして、表示エリア２２０に表示されている図形２２２の範囲指定（マウス３３による図形２２２のハンドル２２３や線の操作）の受付が行われ（Ｓ１４）、ＯＫボタン２２４が選択されたか否かの判断が行われる（Ｓ１５）。ＯＫボタン２２４が選択されていなければ（Ｓ１５：ＮＯ）、Ｓ１３へ戻り範囲指定の図形の選択受付（Ｓ１３）、範囲指定の受付（Ｓ１４）が繰り返し行われる。
【００５０】
そして、ＯＫボタン２２４が選択されたら（Ｓ１５：ＹＥＳ）、範囲指定が完了したので、範囲指定画面２００は閉じられ、切抜線設定画面３００が表示される（Ｓ１６）。そこで、切抜線の形状とピッチの設定入力の受付が行われ（Ｓ１７）、ＯＫボタン３４０が選択されたか否かの判断が行われる（Ｓ１８）。ＯＫが選択されていなければ（Ｓ１８：ＮＯ）、Ｓ１７へ戻り、繰り返し切抜線の形状とピッチの設定入力の受付が行われる（Ｓ１７）。そして、ＯＫボタン３４０が選択されたら（Ｓ１８：ＹＥＳ）、切抜線設定画面３００は閉じられ、切り抜き後のイメージ作成処理が行われる（Ｓ１９、図１４参照）。
【００５１】
切り抜き後のイメージ作成処理では、図１４に示すように、まず、範囲指定画面２００で指定された切取領域の境界線の各線分が、切抜線設定画面３００で指定された形状及びピッチの線で置き換えられて切抜線が作成される（Ｓ２１）。そして、切り取り指定された印刷オブジェクトのイメージデータにおける切抜線の外側のイメージデータが削除されて切抜オブジェクトが作成される（Ｓ２２）。そして、Ｓ２１で作成された切抜線のデータが部品別表示バッファ記憶エリア１１２の切抜線データ記憶エリア１１２４に記憶され、Ｓ２２で作成された切抜オブジェクトのデータが部品別表示バッファ記憶エリア１１２の切抜オブジェクトイメージ記憶エリア１１２２に記憶される（Ｓ２３）。そして、編集処理へ戻る。
【００５２】
編集処理では、Ｓ２０で編集画面１００の作業領域１０３に表示されている写真オブジェクト１４１が切抜オブジェクト１４２に更新されて（図７参照）、メイン処理へ戻る。
【００５３】
次に、図１５のフローチャートを参照して、印刷処理について説明する。まず、印刷指示が行われた際に１つの印刷オブジェクトが選択されており、その印刷オブジェクトのみを印刷する「部品印刷」が指定されているか否かの判断が行われる（Ｓ４１）。「部品印刷」の指定がされていなければ（Ｓ４１：ＮＯ）、作業領域１０３に表示されているイメージ全体をそのまま印刷する「全体印刷」が指定されているので、全体の印刷指示が行われ（Ｓ６３）、メイン処理へ戻る。
【００５４】
「部品印刷」の指示がされていれば（Ｓ４１：ＹＥＳ）、切取線設定画面４００が表示される（Ｓ４２）。ここでの入力内容に従って印刷が行われる。切取線設定画面４００の表示（Ｓ４２）の後、切取線設定画面４００への入力の受付が行われて、ＯＫボタン４４０が選択されたら（Ｓ４３）、次に、切取線を付加する選択がなされているか否かの判断が行われる（Ｓ４４）。切取線指定ラジオボタン４１０において「切取線を裏面に印刷」又は「切取線を表面に印刷」が選択されていれば、切取線を付加する選択がなされているので（Ｓ４４：ＹＥＳ）、裏面に付加するか否かの判断が行われる（Ｓ４５）。
【００５５】
切取線指定ラジオボタン４１０において「切取線を裏面に印刷」が選択されていれば、裏面に付加するので（Ｓ４５：ＹＥＳ）、まず、オブジェクト情報記憶エリア１１２１に記憶されている画像のイメージが表面用印刷バッファ記憶エリア１１３１に展開される（Ｓ４６）。そして、切取線のイメージデータが作成される（Ｓ４７）。具体的には、範囲指定データ記憶エリア１１２３に記憶されている切取範囲を表す図形の頂点座標が読み出され、各頂点間を、切抜線データ記憶エリア１１２４に記憶されている切抜線のイメージデータをほぼ頂点間の長さで切ったもので結ばれる。そうしてできた閉じた線が切取線のイメージである。そして、この切取線は裏面に印刷されるので、印刷時の用紙送り方向に応じて反転（本実施の形態では左右方向に送るので左右に反転）され（Ｓ４８）、裏面用印刷バッファ記憶エリア１１３２に展開される（Ｓ４９）。そして、両面印刷が指示された印刷データがプリンタ２へ送信される（Ｓ５０）。そして、メイン処理へ戻る。
【００５６】
また、切取線指定ラジオボタン４１０において「切取線を裏面に印刷」が選択されていなければ、「切取線を表面に印刷」が選択されており、表面に切取線を付加するので（Ｓ４５：ＮＯ）、まず、オブジェクト情報記憶エリア１１２１に記憶されている画像のイメージが表面用印刷バッファ記憶エリア１１３１に展開される（Ｓ５１）。そして、輪郭線を示す切取範囲を表す図形の各頂点座標と余裕量から、切取線設定画面４００で設定されている余裕量分外側の図形を示す各頂点座標が求められる。詳しくは、切り取り範囲を示す図形の各辺に対し、それぞれ図形の外側に向かって余裕量分離れた位置に平行に直線を引く。それらの直線同士の交点を求める。交点のうち、元の図形と相似となる図形の頂点だけを求める（Ｓ５２）。そして、各頂点間を切抜線データ記憶エリア１１２４に記憶されている切抜線のイメージデータをほぼ頂点間の長さで切ったもので結ばれる。そうしてできた閉じた線を、切取線データ記憶エリア１１２５に記憶されている太さにすることで切取線のイメージデータが作成される（Ｓ５３）。
【００５７】
そして、作成された切取線のイメージデータと、Ｓ５１で展開されている切抜オブジェクトのイメージとが合成される（Ｓ５４）。そして、表面のみの片面印刷が指示された印刷データがプリンタ２へ送信されて（Ｓ５５）、メイン処理へ戻る。
【００５８】
また、「周囲を塗潰す」が選択されている場合には、Ｓ４４において、切取線を付加しないと判断され（Ｓ４４：ＮＯ）、切抜オブジェクトイメージ記憶エリア１１２２に記憶されている切抜オブジェクトのイメージが表面用印刷バッファ記憶エリア１１３１に展開される（Ｓ６０）。そして、切抜オブジェクトの輪郭線の外側であり、かつ、所定の長方形の内側である領域を背景色で塗り潰す塗り潰しデータが作成される（Ｓ６１）。所定の長方形は、例えば、切抜オブジェクトのＸ座標の最小値をｘ、最大値をＸ、Ｙ座標の最小値をｙ、最大値をＹ、印刷結果において約１ｃｍとなる距離をａとすると、Ａ（ｘ−ａ，Ｙ＋ａ）、Ｂ（Ｘ＋ａ，Ｙ＋ａ）、Ｃ（Ｘ＋ａ，ｙ−ａ）、Ｄ（ｘ−ａ，ｙ−ａ）の４点で囲まれる長方形である。なお、それぞれの値が印刷可能領域から外れる場合には、印刷可能領域ぎりぎりの座標に置き換えられる。
【００５９】
そして、作成された塗り潰しデータが表面用印刷バッファ記憶エリア１１３１に展開されて、Ｓ６０で展開されている切抜オブジェクトのイメージと合成される（Ｓ６２）。そして、表面のみの片面印刷が指示された印刷データがプリンタ２へ送信されて（Ｓ６３）、メイン処理へ戻る。
【００６０】
以上のようにして、印刷結果を切り取って使用する場合には、切取領域の形状及びその輪郭線（切抜線）の形状を指定することができる。そして、「切取線を表面に印刷」を選択した場合には、カットする人の好みに合わせて切取線の太さや切取領域からの余裕量を設定して、印刷結果と同じ面に切取線を印刷することができる。また、「切取線を背面に印刷」を選択した場合には、印刷結果を印刷する背面に切取線を印刷することができる。この場合には、カット後に切取線が残ってしまい、印刷結果に影響を及ぼすことがない。また、「周囲を塗り潰す」を選択した場合には、切取領域の境界線より外側をその印刷オブジェクトの背景色（周囲の色）で塗り潰す塗り潰し手段（印刷処理のＳ６１，Ｓ６２）を備えているので、印刷結果の周囲を背景色で塗り潰すことができる。この場合には、カット後に塗り潰しの色が残ってしまったとしても、カット後の印刷結果を貼り付けてしまえば、その背景の色と同じ色なので目立たない。
【００６１】
なお、図４及び図７に示す編集画面１００の作業領域１０３が「表示手段」に該当し、図５に示す範囲指定画面２００が「切取領域指定手段」に該当する。また、図８に示す切取線設定画面４００の余裕量指定リストボックス４３０が「距離指定手段」に該当し、太さ指定リストボックス４２０が「太さ指定手段」に該当し、切取線指定ラジオボタン４１０が「表裏選択手段」に該当する。図６に示す切抜線設定画面３００の形状欄３１０及びピッチ欄３２０が「線種指定手段」に該当する。そして、図１５に示す印刷処理のＳ４６〜Ｓ４９、Ｓ５１〜Ｓ５４の処理を実行するＣＰＵ１０が「印刷データ作成手段」に相当する。
【００６２】
なお、本発明の印刷データ編集装置及び印刷データ編集プログラムは、上記した実施の形態に限定されるものではなく、本発明の要旨を逸脱しない範囲内において種々変更を加え得ることは勿論である。
【００６３】
上記実施の形態では、切抜線設定画面３００のピッチ欄３２０において、Ａ，Ｂ，Ｃのボタンでピッチを指定したが、切抜線イメージ記憶エリア１２０に記憶されているデータのピッチをｍｍ等の距離を表す単位で表示したり、「狭い」，「広い」などの表示にしたりしてもよい。ピンキングバサミでは、ピッチが表示されて販売されているので、距離で表すとどのピッチにすればよいか判りやすい。また、指定したい長さを入力するようにして、入力されたピッチに合わせて切抜線を生成するようにしてもよい。上記実施の形態では、切取領域の形状は、直線で囲まれた図形から選択するようになっているが、別の実施の形態では円や楕円等曲線からも選べるようになっていてもよい。
【００６４】
上記実施の形態では、切取線設定画面４００において線の太さと余裕量のみ設定しているが、ここで線種（例えば、実線、点線、一点鎖線など）や色も設定するようにしてもよい。この場合には、図１５に示す印刷処理のＳ４７，Ｓ５３において、設定された線種にしたがって切取線が生成される。
【産業上の利用可能性】
【００６５】
本発明の印刷データ編集装置及び印刷データ編集プログラムは、印刷後、印刷結果を切り取って使用するような印刷物の印刷データを編集する印刷データ編集装置及び印刷データ編集プログラムに適応可能である。
【図面の簡単な説明】
【００６６】
【図１】本発明の印刷データ編集プログラムを搭載した、印刷データ編集装置１の電気的構成を示すブロック図である。
【図２】ＲＯＭ１２に記憶されている切抜線イメージ記憶エリア１２０の模式図である。
【図３】ＲＡＭ１１の記憶エリアの模式図である。
【図４】編集画面１００のイメージ図である。
【図５】切取領域の形状及び範囲を指定する範囲指定画面２００のイメージ図である。
【図６】切取領域の境界線の形状を指定する切抜線設定画面３００のイメージ図である。
【図７】切り取り指定をした後の編集画面１００のイメージ図である。
【図８】切取線の設定を行う切取線設定画面４００のイメージ図である。
【図９】「切取線を表面に印刷」が選択され切取線が印刷された印刷結果５００のイメージ図である。
【図１０】「周囲を塗潰す」が選択され切取領域の周囲が背景色で塗潰された印刷結果５１０のイメージ図である。
【図１１】「切取線を裏面に印刷」が選択され切取線が裏面に印刷された印刷結果５２１（表面），５２２（裏面）のイメージ図である。
【図１２】メイン処理の主な処理を示したフローチャートである。
【図１３】メイン処理の中で実施される編集処理のフローチャートである。
【図１４】編集処理の中で実施される切り抜き後のイメージ作成処理のフローチャートである。
【図１５】メイン処理の中で実施される印刷処理のフローチャートである。
【符号の説明】
【００６７】
１  印刷データ編集装置
２  プリンタ
１０  ＣＰＵ
１００  編集画面
１０３  作業領域
１４１  写真オブジェクト
１４２  切抜オブジェクト
２００  範囲指定画面
２１０  形状選択エリア
２２０  表示エリア
２２１  画像イメージ
２２２  図形
３００  切抜線設定画面
３１０  形状欄
３２０  ピッチ欄
３３０  プレビュー欄
４００  切取線設定画面
４１０  切取線指定ラジオボタン
４２０  指定リストボックス
４３０  余裕量指定リストボックス
【図１】
2006260384.tif 000003
【図２】
2006260384.tif 000004
【図３】
2006260384.tif 000005
【図６】
2006260384.tif 000006
【図８】
2006260384.tif 000007
【図１２】
2006260384.tif 000008
【図１３】
2006260384.tif 000009
【図１４】
2006260384.tif 000010
【図１５】
2006260384.tif 000011
【図４】
2006260384.tif 000012
【図５】
2006260384.tif 000013
【図７】
2006260384.tif 000014
【図９】
2006260384.tif 000015
【図１０】
2006260384.tif 000016
【図１１】
2006260384.tif 000017